(57)【要約】【課題】作業性が良好であり、かつ工期の短縮を図ることができるコンクリート構造体を被覆する表面被覆パネルを用いた表面被覆方法を提供する。【解決手段】表面を形成し、かつ高靭性を有する補強板１０と、この補強板１０の裏面に設けられ、被覆対象面に対向する面に複数のアンカー突起１１Ａ，１１Ａ，…を有する防水板１１と、を有する表面被覆パネル１を用いて、コンクリート構造体３の表面を被覆する表面被覆方法であって、コンクリート構造体３の被覆対象面に対し所定の間隔をもって、表面被覆パネル１をアンカーボルトにより順次固定し、表面被覆パネルと構造体表面との間に注入材４を注入する。【選択図】図２
2008223328.tif 000002
【特許請求の範囲】
【請求項１】
表面を形成し、かつ高靭性を有する補強板と、この補強板の裏面に設けられ、被覆対象面に対向する面に複数のアンカー突起を有する防水板と、を有する表面被覆パネルを用いて、
コンクリート構造体の表面を被覆する表面被覆方法であって、
コンクリート構造体の被覆対象面に対し所定の間隔をもって、表面被覆パネルをアンカーボルトにより順次固定し、
表面被覆パネルと構造体表面との間に注入材を注入する、
ことを特徴とする表面被覆方法。
【請求項２】
表面を形成し、かつ高靭性を有する補強板と、この補強板の裏面に設けられ、被覆対象面に対向する面に複数のアンカー突起を有する防水板と、を有する表面被覆パネルと、
トンネルの横断面の曲線形状に沿うように所定の長さを持ち、かつトンネル進行方向に複数本配置された枠本体と、トンネル進行方向に隣接する枠本体を連結する複数の連結具と、枠本体に取付けられ、覆工面に枠本体を固定するアンカー部と、枠本体に取付けられ、表面被覆パネルを枠本体に固定するパネル固定部と、を有する取付枠と、を用いて、
トンネル覆工表面を被覆する表面被覆方法であって、
枠本体は、トンネル幅方向に延在するウェブと、トンネル進行方向に延在するフランジと、を少なくとも有する金属部材であり、
アンカー部は、トンネル覆工面に先端部を定着させるアンカーボルトと、このアンカーボルトの基端部を螺着させる取付プレートを備え、かつこの取付プレートは金属部材のウェブに所定の間隔をもって設けられ、
パネル固定部は、フランジのパネル側に形成され、表面被覆パネルを支持する固定ナットと、ナットに螺着させるねじ切りボルトと、表面被覆パネルを押さえる固定プレートと、ねじ切りボルトの基端部に螺着する可動ナットと、を備え、
以下の（１）〜（６）の工程を有することを特徴とする表面被覆方法。
（１）隣接する枠本体を連結具により連結する工程
（２）トンネル覆工の被覆対象面に対し、枠本体を取付け、取付プレートにアンカーボルトの基端部を固体させた状態で、アンカーボルトの先端を被覆対象面に定着させて、枠本体を被覆対象面に順次固定する工程
（３）固定ナットにねじ切りボルトを螺着させる工程
（４）予め表面被覆パネルに形成しておいた貫通孔にねじ切りボルトを貫通させると共に、固定プレートで表面被覆パネルを押さえ、ねじ切りボルトの基端部をナットで螺着させることにより表面被覆パネルと枠本体を一体化させる工程
（５）表面被覆パネルとトンネル覆工面との間に注入材を注入する工程
（６）注入して所定の強度が発現した後に、可動ナット、ねじ切りボルト、固定プレートを撤去する工程
【請求項３】
表面を形成し、かつ高靭性を有する補強板と、この補強板の裏面に設けられ、被覆対象面に対向する面に複数のアンカー突起を有する防水板と、を有する表面被覆パネルと、
コンクリート構造体に対して横方向に連設された、断面溝状の案内部材と、
該案内部材に係止されると共に、この溝内を横方向に摺動可能な被案内部材と、を用いて、コンクリート構造体の表面を被覆する表面被覆方法であって、
以下の（１）〜（４）の工程を有することを特徴とする表面被覆方法。
（１）コンクリート構造体の被覆対象面に対し、横方向に案内部材を取付ける工程
（２）表面被覆パネルの裏面に被案内部材を取付ける工程
（３）表面被覆パネルに被案内部材を取付けた状態で、この被案内部材を案内部材に係止させる工程
（４）表面被覆パネルと構造体表面との間に注入材を注入する工程
【請求項４】
表面を形成し、かつ高靭性を有する補強板と、この補強板の裏面に設けられると共に、被覆対象面に当接し、被覆対象面との間に空間を形成するための複数の当接突起を被覆対象面に対向する面に有する防水板と、を有する表面被覆パネルを用いて、
コンクリート構造体の表面を被覆する表面被覆方法であって、
コンクリート構造体の被覆対象面に対し防水板を被覆対象面に当接させた状態で、表面被覆パネルをアンカーボルトにより順次固定する、
ことを特徴とする表面被覆方法。
【発明の詳細な説明】
【技術分野】
【０００１】
本発明は、表面被覆方法に関し、詳しくはコンクリート構造体を被覆する表面被覆パネルを用いた表面被覆方法に関するものである。
【背景技術】
【０００２】
トンネル等のコンクリート構造体は、コンクリート打設時の配合不良による劣化、コンクリートの中性化、塩化物イオンの侵入、凍結融解作用、化学的浸食、アルカリ骨材反応、コールドジョイント等による劣化等により、コンクリートにひび割れやコンクリートの剥落の恐れが生じる。
そのため、コンクリート構造体の補修又は補強が必要となるが、従来より、既設トンネルの劣化部位の剥落防止対策としての補修は、ひび割れ部位にエポキシ材を注入したり、又はさらに劣化部分をはつり取るなどの下地処理を施した後、モルタルやエポキシ材を塗布する方法が行われている（例えば、特許文献１参照）。
【特許文献１】特開２００４−５２５４２号公報
【発明の開示】
【発明が解決しようとする課題】
【０００３】
しかしながら、作業が煩雑であり、工期の短縮を図る上では十分改善の余地があった。
そこで、本発明の主たる課題は、作業性が良好であり、かつ工期の短縮を図ることができるコンクリート構造体を被覆する表面被覆パネルを用いた表面被覆方法を提供することにある。
【課題を解決するための手段】
【０００４】
上記課題を解決した本発明は、次のとおりである。
＜請求項１記載の発明＞
請求項１記載の発明は、表面を形成し、かつ高靭性を有する補強板と、この補強板の裏面に設けられ、被覆対象面に対向する面に複数のアンカー突起を有する防水板と、を有する表面被覆パネルを用いて、コンクリート構造体の表面を被覆する表面被覆方法であって、コンクリート構造体の被覆対象面に対し所定の間隔をもって、表面被覆パネルをアンカーボルトにより順次固定し、表面被覆パネルと構造体表面との間に注入材を注入する、
ことを特徴とする表面被覆方法である。
【０００５】
（作用効果）
補強板は、高靭性であるため大きな引張及び曲げ変形能力（柔軟性）を有し、損傷を受け難い（高耐衝撃性）と共に、トンネル覆工面などの曲線的な形状に対応可となっている。
また、防水板の複数のアンカー突起により、表面被覆パネルを注入材を介しての被覆対象面への付着性を向上させることができる。すなわち、これらの突起構造が注入材とのアンカー効果を発現するため、アンカーボルトと重複して定着効果を得ることができる。
このようにして構成される表面被覆パネルは、軽量で取扱が容易のため、コンクリート表面の被覆の作業性を向上させることができ、工期短縮を可能とし、コストを低減させることができる。
【０００６】
＜請求項２記載の発明＞
表面を形成し、かつ高靭性を有する補強板と、この補強板の裏面に設けられ、被覆対象面に対向する面に複数のアンカー突起を有する防水板と、を有する表面被覆パネルと、
トンネルの横断面の曲線形状に沿うように所定の長さを持ち、かつトンネル進行方向に複数本配置された枠本体と、トンネル進行方向に隣接する枠本体を連結する複数の連結具と、枠本体に取付けられ、覆工面に枠本体を固定するアンカー部と、枠本体に取付けられ、表面被覆パネルを枠本体に固定するパネル固定部と、を有する取付枠と、を用いて、
トンネル覆工表面を被覆する表面被覆方法であって、
枠本体は、トンネル幅方向に延在するウェブと、トンネル進行方向に延在するフランジと、を少なくとも有する金属部材であり、
アンカー部は、トンネル覆工面に先端部を定着させるアンカーボルトと、このアンカーボルトの基端部を螺着させる取付プレートを備え、かつこの取付プレートは金属部材のウェブに所定の間隔をもって設けられ、
パネル固定部は、フランジのパネル側に形成され、表面被覆パネルを支持する固定ナットと、ナットに螺着させるねじ切りボルトと、表面被覆パネルを押さえる固定プレートと、ねじ切りボルトの基端部に螺着する可動ナットと、を備え、
以下の（１）〜（６）の工程を有することを特徴とする表面被覆方法。
（１）隣接する枠本体を連結具により連結する工程
（２）トンネル覆工の被覆対象面に対し、枠本体を取付け、取付プレートにアンカーボルトの基端部を固定させた状態で、アンカーボルトの先端を被覆対象面に定着させて、枠本体を被覆対象面に順次固定する工程
（３）固定ナットにねじ切りボルトを螺着させる工程
（４）予め表面被覆パネルに形成しておいた貫通孔にねじ切りボルトを貫通させると共に、固定プレートで表面被覆パネルを押さえ、ねじ切りボルトの基端部をナットで螺着させることにより表面被覆パネルと枠本体を一体化させる工程
（５）表面被覆パネルとトンネル覆工面との間に注入材を注入する工程
（６）注入して所定の強度が発現した後に、可動ナット、ねじ切りボルト、固定プレートを撤去する工程
【０００７】
（作用効果）
上記の取付枠を用いることにより、トンネル覆工面の曲面形状により対応しやすくなる。
【０００８】
＜請求項３記載の発明＞
表面を形成し、かつ高靭性を有する補強板と、この補強板の裏面に設けられ、被覆対象面に対向する面に複数のアンカー突起を有する防水板と、を有する表面被覆パネルと、
コンクリート構造体に対して横方向に連設された、断面溝状の案内部材と、
該案内部材に係止されると共に、この溝内を横方向に摺動可能な被案内部材と、を用いて、コンクリート構造体の表面を被覆する表面被覆方法であって、
以下の（１）〜（４）の工程を有することを特徴とする表面被覆方法。
（１）コンクリート構造体の被覆対象面に対し、横方向に案内部材を取付ける工程
（２）表面被覆パネルの裏面に被案内部材を取付ける工程
（３）表面被覆パネルに被案内部材を取付けた状態で、この被案内部材を案内部材に係止させる工程
（４）表面被覆パネルと構造体表面との間に注入材を注入する工程
【０００９】
（作用効果）
上記の案内部材と被案内部材を用いることにより、より効率よくコンクリート構造表面の被覆作業を行うことができる。
【００１０】
＜請求項４記載の発明＞
請求項４記載の発明は、表面を形成し、かつ高靭性を有する補強板と、この補強板の裏面に設けられると共に、被覆対象面に当接し、被覆対象面との間に空間を形成するための複数の当接突起を被覆対象面に対向する面に有する防水板と、を有する表面被覆パネルを用いて、コンクリート構造体の表面を被覆する表面被覆方法であって、コンクリート構造体の被覆対象面に対し防水板を被覆対象面に当接させた状態で、表面被覆パネルをアンカーボルトにより順次固定する、ことを特徴とする表面被覆方法である。
【００１１】
（作用効果）
防水板の複数の当接突起により、被覆対象面との間に空間を形成することができ、この空間内に、例えば、トンネル覆工面からの漏水を導き、通行人や車両に漏水がかかること等を防止することができる。また、この空間により空気層が形成され、断熱性能も向上させることができる。
このようにして構成される表面被覆パネルは、軽量で取扱が容易のため、コンクリート表面の被覆の作業性を向上させることができ、工期短縮を可能とし、コストを低減させることができる。
【発明の効果】
【００１２】
本発明によれば、作業性が良好であり、かつ工期の短縮を図ることができる等の利点がもたらされる。
【発明を実施するための最良の形態】
【００１３】
以下、本発明の実施の形態を説明する。
＜表面被覆パネルの第１実施例＞
第１実施例の表面被覆パネル１は、図１及び図２に示すように、表装（表面）を形成し、かつ高靭性を有する補強板１０と、この補強板１０の裏面に設けられ、コンクリート構造体３の被覆対象面に対向する面に複数のアンカー突起１１Ａ，１１Ａ，…を有する防水板１１と、を備えている。
この第１実施例の表面被覆パネルは、主にトンネル坑口及び覆工内面の剥落対策・断面修復工・補強対策（景観の改善等）等のために用いられるものである。
【００１４】
補強板１０は、一般的に、トンネル覆工面（ライニング面）などのコンクリート構造体３の表面粗度改善対策、剥落対策、内面補強や各種コンクリート構造物の補修・補強・景観対策に用いられる公知のセメント系板状素材を用いることができるが、ＰＶＡ繊維で補強されたセメント系板状素材を用いることが好適であり、より好ましくはシリカヒュームを使用することにより、靭性を向上させることが好適である。
厚みは、作業性等を考慮して薄厚（例えば４ｍｍ程度）が好ましく、重量は１０ｋｇ／ｍ2程度とし、表面の粗度係数はｎ＝０．０１０以下とすることが好ましい。補強材は、曲げ強度（ＪＩＳ  Ａ  １４０８）は、長辺方向で３２Ｎ／ｍｍ2であり、短辺方向で１９Ｎ／ｍｍ2とし、密度（ＪＩＳ  Ａ  ５４３０）は１．７ｇ／ｃｍ3とすることができる。このように、通常のコンクリートやモルタルに比べ、高い圧縮、引張り、曲げ強度とすることができる。
補強板１０は、上記のように、高靭性であるため大きな引張及び曲げ変形能力（柔軟性）を有し、損傷を受け難い（高耐衝撃性）と共に、トンネル覆工面などの曲線的な形状に対応可となっている。また、セメント系板状素材であることにより、耐火性、耐侯性、表面撥水性、不燃性、止水性に優れるものである。また、表面を平滑である形状とすることができ、耐磨耗性や表面粗度を改善することができ、かつ防汚性（撥水性）を向上させることができる。さらに、防錆対策が不要であり、視線誘導や照度の向上から、表面塗装が可能である。また、凍結融解性に優れることから、寒冷地にも対応可である。
なお、さらなる補強が必要な場合には、炭素繊維シート（ＣＦＲＰ等）を補強板１０の表面若しくは裏面、又は表面及び裏面に接着すればよい。
【００１５】
防水板１１は、不透水性（例えば、ポリエチレン製）の板状部材であり、片面に複数のアンカー突起１１Ａ，１１Ａ，…を有している。このアンカー突起１１Ａ，１１Ａ，…は、防水板１１の全体にわたって均一に形成されている。防水板１１の複数のアンカー突起１１Ａ，１１Ａ，…により、表面被覆パネル１を注入材４を介してのコンクリート構造体３の被覆対象面への付着性を向上させることができる。すなわち、これらの突起構造が注入材（例えば、高流動モルタル等のセメント系注入材やエポキシ樹脂）とのアンカー効果を発現するため、後述するアンカーボルトと重複して定着効果を得ることができる。
厚みは、作業性等を考慮して薄厚（例えば２ｍｍ程度）が好ましく、引張強さ（ＪＩＳ  Ａ  ６００８）は１６００Ｎ／ｃｍ2、引抜抵抗（建研式引張試験）で２９４ＫＮ／ｍ2とすることができる。
【００１６】
補強板１０と防水板１１とは、少なくとも一方の部材においてコロナ放電処理や火炎処理等の表面改質を行った後、公知の接着剤（好適には、クロロプレンゴム系接着剤）で接着して一体化させればよいが、より強固に一体化させるためには、接着剤に加えてネジやボルト（例えば、ステンレス製の皿ボルト）、あるいは後述するアンカーボルト（図示せず）を介して螺着させることが好適である。また、表面被覆パネル１の１枚あたりの大きさを１８２０ｍｍ×９１０ｍｍ程度とすることにより、作業性を向上させることができる。
このようにして構成される表面被覆パネル１は、軽量で取扱が容易のため、コンクリート構造体３の表面被覆の作業性を向上させることができ、工期短縮を可能とし、コストを低減させることができる。
【００１７】
＜表面被覆パネルの第１実施例を用いた表面被覆方法１＞
第１実施例の表面被覆パネル１を用いた、コンクリート構造体３の表面被覆方法について説明する。
まず、準備工として、コンクリート構造体３の被覆対象面の大きさ等を計測し、被覆する表面被覆パネル１の必要枚数の確認やパネルの切断を含む大きさの調整を行う。
次に、下地処理として、構造体表面のチッピング、ケレンやはつり撤去等を行なう。
次に、構造体３の被覆対象面に対し所定の間隔をもって、表面被覆パネル１の表面からアンカーボルト（図示せず）打設することで構造体３表面に表面被覆パネル１を順次固定する。そして、固定した表面被覆パネル１に注入を行なうための口元管（図示せず）を設け、この口元管に注入管（図示せず）を取付ける。なお、表面被覆パネル１の固定や口元管の取付けに前後して、配設したパネル群の周縁端部については、注入した注入材が端部から漏れないようにセメント系又はエポキシ樹脂系シール材でシールしておく。その後、注入工として、高流動モルタル等のセメント系注入材やエポキシ樹脂等の注入材４を、口元管を介し表面被覆パネル１と構造体３表面との間に注入し、図２に示す状態にする。
最後に、注入検査工として、打音検査を行い、未注入箇所があった場合には、再注入する。その後、仕上げ工として、清掃や片付けを行なえばよい。
なお、上記工程の順序は、適宜変更してもよい。
【００１８】
＜表面被覆パネルの第１実施例を用いた表面被覆方法２＞
コンクリート構造体３のうち、特にトンネルの覆工面３０に適した、第１実施例の表面被覆パネル１を用いた表面被覆方法について図３乃至図７に基づき説明する。
この表面被覆方法は、トンネル覆工面３０の曲面形状により対応しやすくするために、取付枠５を用いている。以下に、まず、この取付枠５の構造について説明する。
取付枠５は、図３乃至図６に示すように、トンネルの横断面の曲線形状に沿うように、複数本配置された枠本体５０，５０，…と、トンネル進行方向に隣接する枠本体５０，５０，…を連結する複数の連結具５１，５１，…と、枠本体５０に取付けられ、覆工面３０に枠本体５０を固定するアンカー部５２と、枠本体５０に取付けられ、表面被覆パネル１を枠本体５０に固定するパネル固定部５３と、を有している。
枠本体５０は、図６に示すように、トンネル幅方向に延在するウェブと、トンネル進行方向に延在するフランジと、を少なくとも有する山形鋼等の金属部材からなり、長さとしては少なくとも１枚分の表面被覆パネル１の長手方向の長さ以上あることが好ましい。アンカー部５２は、トンネル覆工面３０に先端部を定着させるアンカーボルト５２Ａと、このアンカーボルト５２Ａの基端部を固定する取付プレート５２Ｂを備えており、取付プレート５２Ｂは枠本体５０のウェブに所定の間隔をもって設けられている。なお、アンカーボルト５２Ａの基端部は、ナット５２Ｃに螺着している。また、隣接する枠本体５０のウェブ同士は、連結ボルト５１Ａとナット５１Ｂからなる連結具５１によって連結されている。
パネル固定部５３は、フランジのパネル側に形成され、表面被覆パネル１を支持する固定ナット５３Ａと、ナット５３Ａに螺着させるねじ切りボルト５３Ｂと、表面被覆パネル１を押さえる固定プレート５３Ｃと、ねじ切りボルト５３Ｂの基端部に螺着する可動ナット５３Ｄと、を備えている。長ナット等の固定ナット５３Ａは、フランジ部のパネル側に形成されている。この固定ナット５３Ａにねじ切りボルト５３Ｂを螺着させると共に、表面被覆パネル１をねじ切りボルト５３Ｂに貫通させ、そして固定プレート５３Ｃで表面被覆パネル１を押さえ、ねじ切りボルト５３Ｂの基端部を可動ナット５３Ｄで螺着させることにより表面被覆パネル１と枠本体５０を一体化させることができる。なお、図６に示すように、スポンジ等の緩衝材５３Ｅが表面被覆パネル１と固定プレート５３Ｃとの間に挟まれている。
上下方向及び横方向に隣接する表面被覆パネル１，１，…同士は、図４に示すように、長手方向に延在する断面略Ｈ字状の狭持部材６，６，…によって、狭持されて一体化するようになっている。
【００１９】
以下に、取付枠５を用いた、第１実施例の表面被覆パネル１の表面被覆方法を説明する。
まず、準備工として、トンネル覆工面３０の被覆対象面の大きさ等を計測し、被覆する表面被覆パネル１の必要枚数の確認やパネルの切断を含む大きさの調整を行う。
次に、下地処理として、覆工表面３０のチッピング、ケレンやはつり撤去等を行う。
次に、覆工の被覆対象面に対し、隣接する枠本体５０，５０を連結具により連結した状態で、枠本体５０，５０、…を取付け、取付プレート５２Ｂにアンカーボルト５２Ａを貫通させナット５２Ｃに螺着させた状態で、アンカーボルトの先端を被覆対象面に定着させて、順次枠本体を被覆対象面に固定する。そして、固定した枠本体５０の固定ナット５３Ａにねじ切りボルト５３Ｂを螺着させる。そして、予め表面被覆パネル１に形成しておいた貫通孔（図示せず）にねじ切りボルト５３Ｂを貫通させると共に、緩衝５３Ｅ材及び固定プレート５３Ｃで表面被覆パネル１を押さえ、ねじ切りボルト５３Ｂの基端部を可動ナット５３Ｄで螺着させることにより表面被覆パネル１と枠本体５０を一体化させる。これに前後して、隣接する表面被覆パネル同士１，１を狭持部材６によって一体化させておく。
次に、固定した表面被覆パネル１に注入を行なうための口元管（図示せず）を設け、この口元管に注入管（図示せず）を取付ける。なお、表面被覆パネル１の固定や口元管の取付けに前後して、配設したパネル群の周縁端部については、注入した注入材が端部から漏れないようにセメント系又はエポキシ樹脂系シール材でシールしておく。その後、注入工として、高流動モルタル等のセメント系注入材やエポキシ樹脂等の注入材４を、口元管を介し表面被覆パネルと覆工面との間に注入して、図７に示すようにする。
次に、注入検査工として、打音検査を行い、未注入箇所があった場合には、再注入する。
注入工が終了し、所定の強度が発現した後に、可動ナット５３Ｄ、ねじ切りボルト５３Ｂ、緩衝材５３Ｅ及び固定プレート５３Ｃを撤去し、化粧として長ナットに皿ボルト（図示せず）を螺着させ、表面被覆パネル１に形成しておいた貫通孔を塞げばよい。その後、仕上げ工として、清掃や片付けを行なえばよい。
なお、上記工程の順序は、適宜変更してもよい。又取付枠５はトンネルの覆工面３０に限られず、他のコンクリート構造物３に使用してもよい。
【００２０】
＜表面被覆パネルの第１実施例を用いた表面被覆方法３＞
第１実施例の表面被覆パネル１を用いた第３の表面被覆方法について、図８乃至図１２に基づき説明する。
第３の表面被覆方法は、コンクリート構造体３に対し溝型鋼等の断面溝状の案内部材６０をコンクリート構造体３に対して横方向に連なるように配設すると共に、この案内部材６０の溝内を横方向に摺動する被案内部材７０を表面被覆パネル１に取付け、案内部材６０に係止させるものである。案内部材６０と被案内部材７０を用いることにより、より効率よくコンクリート構造体３表面の被覆作業を行うことができる。以下に、まず、この被案内部材７０及び案内部材６０の構造について説明する。
被案内部材７０は、図８乃至図１０に示すように、案内部材６０に係止されると共に、この溝内を横（水平）方向に摺動可能とする係止部７０Ａを備えている。被案内部材７０の正面は、図示はしないが、角形状でも円板形状でもよい。また、被案内部材７０には雌ネジが螺刻されており、表面被覆パネル１と共にねじ切りボルト８０によって螺着されることにより表面被覆パネル１と一体化されるようになっている。被案内部材７０は、図１０では、表面被覆パネル１に３つ取付けられているが、少なくとも２以上取付けられていればよい。
被案内部材７０に代えて、被案内部材７１とすることもできる。被案内部材７１は、図１１及び図１２に示すように、表面被覆パネル１の裏面に当接する平板部の左右両端部に側辺部がそれぞれ形成されている。この平板部の中央部分には、ねじ切りボルト８０が螺着される孔７１Ｃが形成されている。図１１及び図１２に示すように、被案内部材７１の両側辺部の上下に、案内部材６０のリップ部分に係止すると共に、横方向に摺動できるように、切欠部７１Ａ，７１Ａがそれぞれ形成されている。図中の符号７１Ｂは、押し出し加工された補強部である。
案内部材６０は、前述したように、Ｃ型鋼の溝型鋼などからなり、溝内に被案内部材７０を摺動可能とすると共に、そのリップ部分により被案内部材７０を係止するようになっている。案内部材６０は、図１０では、表面被覆パネル１に対して１レーン取付けられているが、２レーン以上取付てもよい。
また、図８に示すように、案内部材６０の上下の辺部分にはそれぞれ複数の孔６０Ａ，６０Ａ，…が穿設されている。この孔６０Ａは、注入材４が注入された際の注入材４の侵入や空気抜きを補助する役割をもっている。
【００２１】
以下に、被案内部材７０を用いた第３の表面被覆方法について説明する。
まず、準備工として、コンクリート構造体３の被覆対象面の大きさ等を計測し、被覆する表面被覆パネル１の必要枚数の確認やパネルの切断を含む大きさの調整を行う。
次に、下地処理として、コンクリート構造体３表面のチッピング、ケレンやはつり撤去等を行なう。
次に、覆工の被覆対象面に、ウェブとフランジとを有する山形鋼等の金属部材６１を、縦向きにして左右に隣り合う金属部材６１と所定の間隔をもって順次配設し、金属部材６１のウェブに所定の間隔をもって設けられた取付プレート６１Ａにアンカーボルト６２を螺着しコンクリート構造体３に固定する。
そして、この金属部材６１のフランジ面に、案内部材６０を横向にして配設し（複数本取付ける場合は、上下に隣り合う案内部材６０と所定の間隔をもって配設する）、ボルト６３及びナット６４で固着して金属部材６１と案内部材６０を一体化させる。
これに前後して、表面被覆パネル１の表面からパネル固定部８１を介してねじ切りボルト８０を螺着して被案内部材７０と一体化させる。また、隣接する表面被覆パネル同士１，１を狭持部材６によって一体化させておく。
次に、固定した表面被覆パネル１に注入を行なうための口元管（図示せず）を設け、この口元管に注入管（図示せず）を取付ける。なお、表面被覆パネル１の固定や口元管の取付けに前後して、配設したパネル群の周縁端部については、注入した注入材が端部から漏れないようにセメント系又はエポキシ樹脂系シール材でシールしておく。その後、注入工として、高流動モルタル等のセメント系注入材やエポキシ樹脂等の注入材４を、口元管を介し表面被覆パネル１と覆工面との間に注入する。
次に、注入検査工として、打音検査を行い、未注入箇所があった場合には、再注入する。
その後、仕上げ工として、清掃や片付けを行なえばよい。なお、上記工程の順序は、適宜変更してもよい。
【００２２】
＜表面被覆パネルの第２実施例＞
第２実施例の表面被覆パネル２は、図１３及び図１４に示すように、表装（表面）を形成し、かつ高靭性を有する補強板１０と、この補強板１０の裏面に設けられると共に、コンクリート構造体３の被覆対象面に当接し、被覆対象面との間に空間を形成するための複数の当接突起２１Ａ，２１Ａ，…を被覆対象面に対向する面に有する防水板（導水板）２１と、を備えている。
この第２実施例の表面被覆パネルは、主に漏水対策、凍結対策、つらら落下防止、面導水、コンクリート構造物の景観対策等のために用いられるものである。
補強板１０については、第１実施例の表面被覆パネル１と同一なため、説明を省略する。
第２実施例の防水板２１は、不透水性（例えば、ポリスチレン製）の板状部材である。  防水板２１の複数の当接突起２１Ａ，２１Ａ，…により、被覆対象面との間に空間を形成することができ、この空間内に、例えば、トンネル覆工面からの漏水を導き、通行人や車両に漏水がかかること等を防止することができる。また、この空間により空気層が形成され、断熱性能も向上させることができる。なお、空気層とする代わりに、発泡ウレタンを充填し、発泡ウレタン層を形成してもよい。発泡ウレタン層を形成することにより断熱性能を向上させ、さらに寒冷地においては凍結防止性能を向上させることができる。
当接突起２１Ａ，２１Ａ，…は、防水板２１の全体にわたって均一に形成されている。突起部分２１Ａを含めた厚みは、作業性等を考慮して薄厚（例えば３７ｍｍ程度）とすることができる。当接突起２１は、防水板に対して均一に形成されており、そのため、均一固定を確保できる。
補強板１０と防水板２１との接着、固定方法については、第１実施例の表面被覆パネル１と略同一なため、説明を省略する。
第２実施例の表面被覆パネル２は、防水板２１が被覆対象面に当接した状態で、アンカー（図示せず）により固定されるものであるから取付けや維持管理上の取外しを容易に行うことができる。
【００２３】
＜表面被覆パネルの第２実施例を用いた表面被覆方法＞
第２実施例の表面被覆パネル２を用いたコンクリート構造体３の表面被覆方法について説明する。
まず、準備工として、コンクリート構造体３の被覆対象面の大きさ等を計測し、被覆する表面被覆パネル２の必要枚数の確認やパネルの切断を含む大きさの調整を行う。
次に、下地処理として、コンクリート構造体３の表面の清掃等を行なう。
次に、コンクリート構造体３の被覆対象面に対し防水板２１の当接突起２１Ａを被覆対象面に当接させた状態で、表面被覆パネル２をアンカーボルト（図示せず）により順次固定する。
最後に、配設したパネル群の側面の端部をシールする。その後、仕上げ工として、清掃や片付けを行なえばよい。
なお、上記工程の順序は、適宜変更してもよい。
【００２４】
＜その他＞
表面被覆パネルを用いたコンクリート構造体の表面被覆方法は、補強対策、補修対策、漏水対策（凍結対策）等に用いることができるものであり、図示はしないが、例えば、道路分野におけるトンネル覆工面の剥落対策工、内面補強工、橋梁の床版補強工、道路関係構造物の補修・補強工、トンネル坑口及び覆工内面の剥落対策・断面修復工・面導水・補強対策（景観の改善等）、農林水産分野における開水路・水路トンネルの剥落対策工や内面補強工、上下水道分野における管渠・水槽・人孔・水利構造物の内面補修工（粗度係数の改善・断面修復等）や、港湾分野における桟橋・堤防の補修・補強工、その他のコンクリート構造物の景観対策・表面保護・補強工に用いることができる。
【図面の簡単な説明】
【００２５】
【図１】第１実施例の表面被覆パネルの断面図である。
【図２】第１実施例の表面被覆パネルをコンクリート構造体に取付けた状態の断面図である。
【図３】第１実施例の表面被覆パネルをトンネル覆工面に取付けた状態を示すトンネンル横断面図である。
【図４】取付枠に第１実施例の表面被覆パネルを取付けた状態を示す正面図である。
【図５】取付枠に第１実施例の表面被覆パネルを取付けた状態の一部の背面図である。
【図６】その断面図（Ｉ−Ｉ断面図）である。
【図７】取付枠に第１実施例の表面被覆パネルを取付けた状態で、トンネル覆工面に固定した状況を示す断面図である。
【図８】第１実施例の表面被覆パネルを第３の表面被覆方法でコンクリート構造体に取付けた状態の断面図（ＩＩＩ−ＩＩＩ断面図）である。
【図９】その縦方向の部分断面図（ＩＩ−ＩＩ断面図）である。
【図１０】案内部材に第１実施例の表面被覆パネルを取付けた状態を示す正面図である。
【図１１】他の被案内部材の平面図、正面図及び背面図である。
【図１２】他の被案内部材を用いてコンクリート構造体に取付けた状態の縦方向の部分断面図である。
【図１３】第２実施例の表面被覆パネルの断面図である。
【図１４】第２実施例の表面被覆パネルをコンクリート構造体に取付けた状態の断面図である。
【符号の説明】
【００２６】
１，２…表面被覆パネル、３…コンクリート構造体、４…注入材、５…取付枠、６…狭持部材、１０…補強板、１１…防水板、１１Ａ…アンカー突起、２１…防水板、２１Ａ…当接突起、３０…トンネル覆工面、５０…枠本体、５１…連結具、５１Ａ…連結ボルト、５１Ｂ…ナット、５２…アンカー部、５２Ａ…アンカーボルト、５２Ｂ…取付プレート、５２Ｃ…ナット、５３…パネル固定部、５３Ａ…固定ナット、５３Ｂ…ねじ切りボルト、５３Ｃ…固定プレート、５３Ｄ…可動ナット、５３Ｅ…緩衝材、６０…案内部材、６０Ａ…孔、７０…被案内部材、６１…金属部材、７０Ａ…係止部、７１…被案内部材、７１Ａ…切欠部、７１Ｂ…補強部、８０…ねじ切りボルト。
【図１】
2008223328.tif 000003
【図２】
2008223328.tif 000004
【図３】
2008223328.tif 000005
【図４】
2008223328.tif 000006
【図５】
2008223328.tif 000007
【図６】
2008223328.tif 000008
【図７】
2008223328.tif 000009
【図８】
2008223328.tif 000010
【図９】
2008223328.tif 000011
【図１０】
2008223328.tif 000012
【図１１】
2008223328.tif 000013
【図１２】
2008223328.tif 000014
【図１３】
2008223328.tif 000015
【図１４】
2008223328.tif 000016